(57)【要約】【課題】配筋の作業性が向上するコンクリートスラブの構築方法を提供することである。【解決手段】コンクリートスラブ１の構築方法は、床型枠１２に設置された埋込材２の上面にスラブ上筋７が配筋され、上部の掛止具８がスラブ上筋７よりも上側に位置するように浮上防止具４を床型枠１２に設け、該床型枠１２にコンクリート１６を打設し、該コンクリート１６の打設による浮力で上昇した埋込材２およびスラブ上筋７を掛止具８で拘束することである。【選択図】図１
2005068910.tif 000002
【特許請求の範囲】
【請求項１】
床型枠に設置された埋込材の上面にスラブ上筋が配筋され、上部の掛止具がスラブ上筋よりも上側に位置するように浮上防止具を床型枠に設け、該床型枠にコンクリートを打設し、該コンクリートの打設による浮力で上昇した埋込材およびスラブ上筋を掛止具で拘束することを特徴とするコンクリートスラブの構築方法。
【請求項２】
スラブ上筋が浮上防止具にスライド自在に係留されたことを特徴とする請求項１に記載のコンクリートスラブの構築方法。
【請求項３】
浮上防止具はボルトであり、このボルトを挟むようにしてスラブ上筋が配筋されることを特徴とする請求項１または２に記載のコンクリートスラブの構築方法。
【請求項４】
スラブ上筋はボルトをガイドとして上昇することを特徴とする請求項３に記載のコンクリートスラブの構築方法。
【請求項５】
埋込材が設置された床型枠の取付用孔に浮上防止具をスライド自在に取り付けて、上部の掛止具を埋込材の上面に配筋されるスラブ上筋の真上に位置させるとともに、下部の掛止フックを床型枠の裏面に位置させ、埋込材の上面にスラブ上筋を配筋して掛止具で掛け止めした後、床型枠内にコンクリートを打設し、該コンクリートの打設による浮力で上昇する埋込材、スラブ上筋および浮上防止具を掛止フックで床型枠に拘束することを特徴とするコンクリートスラブの構築方法。
【請求項６】
浮上防止具はボルトであり、このボルトの下部が取付用孔に差し込まれた高ナットにねじ込まれ、該高ナットには型枠の裏側から掛止フックがボルトでねじ込まれたことを特徴とする請求項５に記載のコンクリートスラブの構築方法。
【請求項７】
高ナットの上側のボルトにフランジ付きの鞘管がねじ込まれたことを特徴とする請求項６に記載のコンクリートスラブの構築方法。
【請求項８】
高ナットおよび鞘管の径が取付用孔の径とほぼ同径であることを特徴とする請求項７に記載のコンクリートスラブの構築方法。
【発明の詳細な説明】
【技術分野】
【０００１】
本発明はコンクリートスラブの構築方法に関するものである。
【背景技術】
【０００２】
コンクリートスラブを構築する際の埋込材の浮上防止方法としては、例えば特開平４−７０４４８号公報（先願例１）、特開平６−３０６９８８号公報（先願例２）、特開２０００−１９２５９１号公報（先願例３）の発明がある。上記先願例１は、一次コンクリートを打設してスラブ下筋の上に設置した箱形中空材を浮上させた後に、二次コンクリートを打設して完成させるものである。また先願例２は、連続して設置された特殊形状の補強筋間に管状中空材を挟むことで、浮上した中空材が所定の箇所に位置する際に、補強筋の形状で拘束するものである。また先願例３は、中空材自体に貫通させた浮上ガイドが型枠も貫通して、所定の位置でストップさせるものであり、芯材部分とガイド管の組み合わせで構成されている。
【特許文献１】特開平４−７０４４８号公報
【特許文献２】特開平６−３０６９８８号公報
【特許文献３】特開２０００−１９２５９１号公報
【発明の開示】
【発明が解決しようとする課題】
【０００３】
しかし、上記の発明はいずれもスラブ筋を完全に固定した後に、いずれかの方法で中空材の高さ方向の位置を確保しているため、型枠上に設置した中空材から別のスペーサーでスラブ上筋を構築する必要があり、離しての配筋作業に問題があった。
【０００４】
本発明は上記のような問題に鑑みてなされたものであり、その目的は、配筋作業が向上するコンクリートスラブの構築方法を提供することである。
【課題を解決するための手段】
【０００５】
本発明のコンクリートスラブの構築方法は、床型枠に設置された埋込材の上面にスラブ上筋が配筋され、上部の掛止具がスラブ上筋よりも上側に位置するように浮上防止具を床型枠に設け、該床型枠にコンクリートを打設し、該コンクリートの打設による浮力で上昇した埋込材およびスラブ上筋を掛止具で拘束することを特徴とする。またスラブ上筋が浮上防止具にスライド自在に係留されたことを含む。また浮上防止具はボルトであり、このボルトを挟むようにしてスラブ上筋が配筋されることを含む。またスラブ上筋はボルトをガイドとして上昇することを含むものである。
またコンクリートスラブの構築方法は、埋込材が設置された床型枠の取付用孔に浮上防止具をスライド自在に取り付けて、上部の掛止具を埋込材の上面に配筋されるスラブ上筋の真上に位置させるとともに、下部の掛止フックを床型枠の裏面に位置させ、埋込材の上面にスラブ上筋を配筋して掛止具で掛け止めした後、床型枠内にコンクリートを打設し、該コンクリートの打設による浮力で上昇する埋込材、スラブ上筋および浮上防止具を掛止フックで床型枠に拘束することを特徴とする。また浮上防止具はボルトであり、このボルトの下部が取付用孔に差し込まれた高ナットにねじ込まれ、該高ナットには型枠の裏側から掛止フックがボルトでねじ込まれたことを含む。また高ナットの上側のボルトにフランジ付きの鞘管がねじ込まれたことを含む。また高ナットおよび鞘管の径が取付用孔の径とほぼ同径であることを含むものである。
【発明の効果】
【０００６】
敷設した埋込材の上部に直接スラブ上筋を配筋できるので、現場作業が向上するとともに、コンクリートの打設前に埋込材の設置位置の乱れも防止できるので、作業性が向上する。また、スラブ上筋のスペーサーが不要になるので経済的になる。
【発明を実施するための最良の形態】
【０００７】
埋込材の上にスラブ上筋を配筋した後に、床型枠にコンクリートを打設し、このコンクリートの打設による浮力で上昇した埋込材およびスラブ上筋を浮上防止具の掛止具で拘束することにより、現場における作業性の向上という課題を達成することができる。
【実施例１】
【０００８】
図１〜図７は、コンクリートスラブの構築方法（以下構築方法という）の実施例１である。このコンクリートスラブ１は、図１に示すように、埋込材２を縦横方向に適宜間隔ごとに連結した埋込材ユニット３が、浮上防止具４で所定の位置に埋設されて構成されている。
【０００９】
この埋込材ユニット３は、図２に示すように、軽量発泡材で形成されたカプセル形の埋込材２が上部の溶接金網１３と、下部の連結材１４とで縦横方向に適宜間隔をもって連結されて形成されたものである。
【００１０】
一方、浮上防止具４は、図３に示すように、ボルト接続用アンカー５と拘束ボルト６とから構成され、この拘束ボルト６の上部にスラブ上筋７を掛け止める掛止具８が設けられている。またボルト接続用アンカー５は、接続ナット９の下側に取付片１０が設けられてなり、この取付片１０が取付用孔１１に挿入されて型枠１２に取り付けられる。また、掛止具８は上記のものに限らず、単にボルトの頭部をＬ形のフックとしたものであってもよい。
【００１１】
この構築方法は、はじめに、図４に示すように、型枠１２底部の適宜箇所にボルト接続用アンカー５を設置するとともに、スラブ下筋１５を配筋する。そして、図５に示すように、スラブ下筋１５が配筋された型枠１２内に埋込材ユニット３を、ボルト接続用アンカー５が埋込材２間に位置するように設置し、このボルト接続用アンカー５に拘束ボルト６を取り付けると、該拘束ボルト６の掛止具８が埋込材２の上方に位置するようになる。
【００１２】
次に、図６に示すように、埋込材ユニット３の上にスラブ上筋７を配筋するとともに、拘束ボルト６を縦横筋１７、１８で挟みつけるようにして配筋する。この拘束ボルト６に挟みつけられた縦横筋１７、１８は、型枠１２内へのコンクリートの打設による埋込材ユニット３のずれを防ぐものである。
【００１３】
次に、図７に示すように、型枠１２内にコンクリート１６を打設すると、埋込材ユニット３とスラブ上筋７とが浮力により、拘束ボルト６をガイドとして浮き上がるとともに、該拘束ボルト６に挟みつけた縦横筋１７、１８が掛止具８に引っ掛かって拘束される。そして、この掛止具８に引っ掛かった埋込材ユニット３とスラブ上筋７とがコンクリート１６内に埋設され、該コンクリート１６が硬化すると、図１に示すような、コンクリートスラブ１が完成する。
【００１４】
また図８〜図１３は、構築方法の実施例２である。このコンクリートスラブは浮上防止具１９以外は、上記のコンクリートスラブ１と同じ構成である。
【００１５】
上記の浮上防止具１９は、図８に示すように、上部に掛止具８を備えた拘束ボルト６と、この拘束ボルト６がねじ込まれた高ナット２０と、該高ナット２０上部の拘束ボルト６にねじ込まれたフランジ２１付き鞘管２２と、高ナット２０の下部にねじ込まれた掛止フック２３とから構成され、高ナット２０と鞘管２２とが後述する取付用孔１１とほぼ同径または小径になっている。また掛止フック２３は、ボルト頭部２４にフック２５を設けたものであり、このフック２５が取付用孔１１に嵌め込まれて拘束ボルト６を型枠１２に固定する。
【００１６】
この構築方法は、はじめに、図９に示すように、型枠底部の適宜箇所に浮上防止具４の取付用孔１１を設けた後、型枠底部にスラブ下筋１５を配筋する。
【００１７】
次に、図１０に示すように、スラブ下筋１５が配筋された型枠１２内に埋込材ユニット３を、取付用孔１１が埋込材２間に位置するように設置し、この取付用孔１１に浮上防止具４を取り付けると、掛止具８は拘束ボルト６に一体的に組み立てられているため、フランジ２１により、埋込材の上面に配筋されるスラブ上筋の真上に位置する高さに位置決めされる。このとき浮上防止具４は、高ナット２０と鞘管２２とが取付用孔１１とほぼ同径または小径であるため、掛止フック２３とフランジ２１との間でスライド自在となり、該フランジ２１により所定の高さに位置止めされている。すなわち、浮上防止具４はフランジ２１によって下げ止めがされ、掛止フック２３によって上げ止めがされるようになっている。なお、上記浮上防止具４は、埋込材ユニット３を設置する前に取付用孔１１に取り付けてもよい。
【００１８】
次に、図１１に示すように、埋込材ユニット３の上にスラブ上筋７を配筋するとともに、拘束ボルト６を縦横筋１７、１８で挟みつけるように配筋すると、この縦横筋１７、１８が掛止具８の真下に配筋される。この拘束ボルト６に挟みつけられたスラブ上筋７の縦横筋１７、１８は、型枠１２内へのコンクリート１６の打設による埋込材ユニット３のずれを防ぐものである。
【００１９】
次に、図１２に示すように、型枠１２内にコンクリート１６を打設すると、埋込材ユニット３とスラブ上筋７とが浮力により浮き上がるとともに、掛止具８に引っ掛かった縦横筋１７、１８で浮上防止具４が上側に押し上げられる。そして、この押し上げが掛止フック２３で止められることにより、埋込材ユニット３とスラブ上筋７とが所定の箇所に設置されて、コンクリート１６内に埋設される。
【００２０】
そして、上記のコンクリート１６が硬化した後、図１３に示すように、掛止フック２３を高ナット２０から外して、型枠１２を解体すると、上記と同じ構成のコンクリートスラブ１が完成する（図１参照）。
【００２１】
なお、上記の実施例１および実施例２において埋込材２はカプセル形であったが、これに限らず、球形であってもよく、埋込材の形状は問わない。
【産業上の利用可能性】
【００２２】
鉄筋コンクリート構造物のコンクリートスラブの構築に利用することができる。
【図面の簡単な説明】
【００２３】
【図１】コンクリートスラブの断面図である。
【図２】埋込材ユニットの平面図である。
【図３】浮力防止具の正面図である。
【図４】型枠にスラブ下筋およびボルト接続用アンカーを取り付けた断面図である。
【図５】型枠に埋込材ユニットを設置した断面図である。
【図６】埋込材ユニットの上にスラブ上筋を配筋した断面図である。
【図７】型枠にコンクリートを打設した断面図である。
【図８】浮力防止具の正面図である。
【図９】型枠にスラブ下筋を配筋した断面図である。
【図１０】型枠に埋込材ユニットを設置した断面図である。
【図１１】埋込材ユニットの上にスラブ上筋を配筋した断面図である。
【図１２】型枠にコンクリートを打設した断面図である。
【図１３】（１）および（２）は型枠を解体する断面図である。
【符号の説明】
【００２４】
１  コンクリートスラブ
２  埋込材
３  埋込材ユニット
４、１９  浮上防止具
５  ボルト接続用アンカー
６  拘束ボルト
７  スラブ上筋
８  掛止具
９  接続ナット
１０  取付片
１１  取付用孔
１２  型枠
１３  溶接金網
１４  連結材
１５  スラブ下筋
１６  コンクリート
１７  縦筋
１８  横筋
２０  高ナット
２１  フランジ
２２  鞘管
２３  掛止フック
２４  ボルト頭部
２５  フック
【図１】
2005068910.tif 000003
【図２】
2005068910.tif 000004
【図３】
2005068910.tif 000005
【図４】
2005068910.tif 000006
【図５】
2005068910.tif 000007
【図６】
2005068910.tif 000008
【図７】
2005068910.tif 000009
【図８】
2005068910.tif 000010
【図９】
2005068910.tif 000011
【図１０】
2005068910.tif 000012
【図１１】
2005068910.tif 000013
【図１２】
2005068910.tif 000014
【図１３】
2005068910.tif 000015